【手続補正書】
【提出日】平成18年11月24日(2006.11.24)
【手続補正１】
【補正対象書類名】特許請求の範囲
【補正対象項目名】全文
【補正方法】変更
【補正の内容】
【特許請求の範囲】
【請求項１】
電気絶縁基板、
マトリクス通路が親水性マトリクス通路に沿って電位生成用動力供給源とのそれぞれの電気接触用の一対の離れた接触位置を有する、溶質の動電学的輸送用の基板上の親水性マトリクス通路、
基板上に支持されると共に、動力供給源に接続するための接触端および接触位置の一つでの親水性マトリクスとの電気接触用のマトリクス端を有する電極、
初期に乾燥しており、マトリクスの水吸収率を増大させるための湿潤剤を含むマトリクス、
絶縁体が水蒸気透過性である、絶縁体と基板間のマトリクスを密閉するための親水性マトリクスを囲む絶縁体、および
絶縁体を通しての水性溶質通過用のマトリクス上の絶縁体中のオリフィス、
を含む、水性溶質輸送用の囲まれた親水性マトリクスデバイス。
【請求項２】
基板上に支持される一対の電極を含み、それぞれの電極は動力供給源に接続するための接触端、および接触位置の一つでのマトリクスに対する電気接続用のマトリクス端を有する、請求項１に記載のデバイス。
【請求項３】
親水性マトリクスが、初期、それが実質的に非導電性である乾燥および不活性状態にあり、囲む絶縁体を水性環境にさらすと、絶縁体を通しての水蒸気の輸送により湿った状態に移行する、請求項１に記載のデバイス。
【請求項４】
絶縁体がオリフィスを通しての毛細管作用によりマトリクス中への水の組込みを可能とするためにガス透過性である、請求項３に記載のデバイス。
【請求項５】
湿潤剤が、水中に溶解する場合、溶液の粘度が純水よりも有意により高くない濃度で純水よりも有意により少ない水蒸気圧を有する水溶液を形成する低分子量中性分子である、請求項１に記載のデバイス。
【請求項６】
湿潤剤が、尿素、アラニン、オルシニン、プラリーヌ、リジン、グリシン、ポリオールおよび砂糖、蔗糖、グルコース、キシリトール、ソルビトール、マンニトール、乳糖、マルトース、ラクツロース、グリセロール、プロピレン・グリコール、クエン酸、酒石酸、リンゴ酸およびそれらの組合せの群から選択される、請求項５に記載のデバイス。
【請求項７】
電極およびマトリクス通路が接触位置で離れており、電気接触が、接触位置でマトリクス中に含まれ、マトリクスが乾燥状態にある場合初期に乾燥および非導電性状態にありマトリクスが濡れると導電性が与えられる親水性物質により達成されると共に、濡れの後接触位置で電極とマトリクス間の空間を電気的に橋渡しする、請求項２に記載のデバイス。
【請求項８】
親水性マトリクス通路がそこを通しての水性溶質の電気浸透輸送用の固定化電荷を有する、請求項１に記載のデバイス。
【請求項９】
親水性マトリクスがさらに酸化還元添加剤を含有する、請求項１に記載のデバイス。
【請求項１０】
親水性マトリクスがマイクロ多孔質である、請求項１に記載のデバイス。
【請求項１１】
電極対の一つが酸素還元反応を支持するためのカソード電極として構築され、囲む絶縁体が絶縁体を通しての酸素の側方拡散を可能とするためガス透過性である、請求項１に記載のデバイス。
【請求項１２】
電極対の一つが水酸化反応を支持するためのアノード電極として構築され、囲む絶縁体がガス透過性絶縁体を通しての側方透過による電極領域からの酸素除去を可能とするためガス透過性である、請求項１に記載のデバイス。
【請求項１３】
親水性マトリクス通路がさらに電動学的輸送によりマトリクス通路に沿って輸送しようとする試薬を含有するためのリザーバを含む、請求項１に記載のデバイス。
【請求項１４】
輸送通路がマトリクスリザーバと絶縁体中のオリフィス間に位置する空隙を含む、請求項１３に記載のデバイス。
【請求項１５】
マトリクスがさらに他の電極とオリフィス間に置かれる第２親水性マトリクスリザーバを含む、請求項１３に記載のデバイス。
【請求項１６】
第２リザーバがオリフィスを通して電動学的にポンプ注入されようとする試薬を含有する、請求項１５に記載のデバイス。
【請求項１７】
絶縁基板、
基板上に支持され、各電極が動力を供給するための外部回路に接続するための接触端および親水性マトリクスとの電気接触用のマトリクス端を有する一対の電極、
マトリクス通路が、試薬を含有するためのリザーバ、試薬の電動学的輸送用の輸送通路、化学反応を行うための個別のマイクロ反応器、および電極のそれぞれのマトリクス端との電気接触用の一対の離れた接触位置を含み、マトリクスが初期乾燥しておりマトリクスの水吸収率を増大させるための湿潤剤を含む、溶質の動電学的輸送用の基板上の親水性マトリクス通路、
絶縁体が水蒸気透過性である、絶縁体と基板間のマトリクスを密閉するための親水性マトリクスを囲む絶縁体、および
絶縁体を通しての水性溶質通過用のマトリクス上の絶縁体中のオリフィス、
を含む、集積化流体ｉ／ｏを有するマイクロ反応器デバイス。
【請求項１８】
それぞれが請求項１５に記載の親水性マトリクス流体ｉ／ｏデバイスを包含する微細位置のアレイを含む、親水性マトリクス流体ｉ／ｏデバイスの平面アレイ。
【請求項１９】
それぞれが請求項１７に記載のマイクロ反応器デバイスを包含する、微細位置のアレイを含む、平面マイクロ反応器アレイ。
【請求項２０】
請求項１５記載の囲まれた親水性マトリクス流体ｉ／ｏデバイスおよび請求項１７に記載の反応器デバイスの組合せを含み、親水性マトリクス流体ｉ／ｏデバイスの絶縁体中のオリフィスは試薬交換用の反応器デバイスの絶縁体中のオリフィスに重なり、親水性マトリクス流体ｉ／ｏデバイスはオリフィスを通してのリザーバから反応器デバイスへの電動学的試薬輸送のために構築される、バイオアッセイ・デバイス。
【請求項２１】
予め選択されたステップ・アンド・リピート次元で配置されるマイクロ反応器デバイスを有する第１平面アレイ、
それぞれが固定化反応物質を含むと共に第１アレイにおけるマイクロ反応器デバイスと同じステップ・アンド・リピート次元で配置される微細位置の第２平面アレイ、
それぞれのアレイ上のマイクロ反応器が互いに向かい合い対をなして整列するように、共平面の第１および第２アレイを離れた平行方向に整列させるための配列手段、
共平面の第１および第２アレイの間に流体を導入するための手段、および
単離され流体で満たされたウエルのアレイ（各ウエルは第１アレイのマイクロ反応器、離れて平行の第２アレイの微細位置、および中間流体を含有する）を形成するための、マイクロ反応器および向かい側の微細位置の各対を密閉するための手段、
を含む、バイオアッセイ・デバイス。
【請求項２２】
予め選択されたステップ・アンド・リピート次元で配置されるマイクロ反応器デバイスを有する第１平面アレイ、
第１アレイにおけるマイクロ反応器と同じステップ・アンド・リピート次元で配置される親水性マトリクス流体ｉ／ｏデバイスを有する第２平面アレイ、
第１平面アレイ上の各マイクロ反応器が第２アレイの一つの親水性マトリクス流体ｉ／ｏデバイスに面するように、共平面の第１および第２アレイを離れた平行方向に整列させるための配列手段、
共平面の第１および第２アレイの間に流体を導入するための手段、および
単離され流体で満たされたウエルのアレイ（各ウエルは第１アレイのマイクロ反応器、離れて平行の第２アレイの親水性マトリクス流体ｉ／ｏデバイス、および中間流体を含有する）を形成するための、マイクロ反応器および向かい側の親水性マトリクス流体ｉ／ｏデバイスの各対を密閉するための手段、
を含む、バイオアッセイ・デバイス。
【請求項２３】
請求項１７に記載の第１マイクロ反応器デバイス、および、第２マイクロ反応器デバイスのマトリクス通路が、第１マイクロ反応器デバイスのマトリクス通路に沿って電動学的ポンピングを通して橋かけすることができる中間的な空隙により、第１マイクロ反応器デバイスのマトリクス通路から分離されるように、第１マイクロ反応器デバイスに直列に配置される請求項１７に記載の第２マイクロ反応器デバイスを含む、バイオアッセイ・デバイス。